(57)【要約】【課題】  禅箪が設けられたスペースを坐禅修行以外の目的で使用することができる禅箪収納構造を提供する。【解決手段】  坐禅修行を執り行う寺院の本堂において、露地には、畳よりなる床面１７に開口部２０が設けられている。また、露地の床下にはそれぞれ禅箪昇降機構が設置されている。そして、禅箪４０は、前記開口部２０を介して当該禅箪昇降機構で上昇又は下降させることにより、床上に出現した使用状態又は床下に収納された収納状態へと変位自在に構成されている。【選択図】      図１
2005113589.tif 000002
【特許請求の範囲】
【請求項１】
坐禅修行を執り行う建物の床上に設けられた禅箪と、同禅箪と対応する位置で床面に設けられた開口部と、同開口部を介して前記禅箪を前記建物の床下から支持する禅箪昇降機構とを備え、前記禅箪は、前記開口部を介して該禅箪昇降機構で下降させることにより、床上に出現した使用状態から床下に収納された収納状態へと変位するものであることを特徴とする禅箪収納構造。
【請求項２】
前記禅箪は、前記禅箪昇降機構に取着された支持基体と、当該支持基体によって下方から支持された座部とを有するとともに、当該座部は、禅箪を収納状態とした際に座面が建物の床面を構成するものであることを特徴とする請求項１に記載の禅箪収納構造。
【請求項３】
前記禅箪昇降機構は、禅箪が螺着される支持部材と、同支持部材を回転駆動させる駆動手段とを備えるとともに、同駆動手段により該支持部材を回転駆動させ、かつ該支持部材に対して前記禅箪を螺進又は螺退させることによって禅箪を下降又は上昇させるものであることを特徴とする請求項１又は請求項２に記載の禅箪収納構造。
【請求項４】
前記禅箪は前記座部の端部に取着された禅卓を有するとともに、当該禅卓を座部に対して回動自在に取着したことを特徴とする請求項１から請求項３のいずれか一項に記載の禅箪収納構造。
【発明の詳細な説明】
【技術分野】
【０００１】
本発明は、寺院の本堂、禅堂等といった坐禅修行が執り行われる建物において、禅箪を床下へ収納可能とした禅箪収納構造に関するものである。
【背景技術】
【０００２】
従来、上記のような建物の床面には禅箪が設置されている。この禅箪は、略箱状に形成され、建物の床面に固定されている。そして、当該禅箪の座面上で坐禅を組むことができるように、同座面には畳が敷かれている。また、当該禅箪は、坐禅修行時に直日（僧侶）が修行者を警策（棒）で戒めやすくするため、その座面は床面よりも高い位置に配設されている。
【発明の開示】
【発明が解決しようとする課題】
【０００３】
ところが、前記禅箪は建物の床面に固定されていることから同禅箪を移動させたり、片付けたり等することができず、禅箪が設置されたスペースを坐禅修行以外の目的で使用することができないという問題があった。特に、近年は修行僧ばかりではなく一般人も坐禅修行に参加するようになっており、スペースの限られた小さな寺院では、坐禅修行用のスペースを確保することが難しかった。
【０００４】
本発明は、このような従来技術に存在する問題点に着目してなされたものである。その目的とするところは、禅箪が設けられたスペースを坐禅修行以外の目的で使用することができる禅箪収納構造を提供することにある。
【課題を解決するための手段】
【０００５】
上記の目的を達成するために、請求項１に記載の禅箪収納構造の発明は、禅修行を執り行う建物の床上に設けられた禅箪と、同禅箪と対応する位置で床面に設けられた開口部と、同開口部を介して前記禅箪を前記建物の床下から支持する禅箪昇降機構とを備え、前記禅箪は、前記開口部を介して該禅箪昇降機構で下降させることにより、床上に出現した使用状態から床下に収納された収納状態へと変位するものであることを要旨とする。
【０００６】
請求項２に記載の禅箪収納構造の発明は、請求項１に記載の発明において、前記禅箪は、前記禅箪昇降機構に取着された支持基体と、当該支持基体によって下方から支持された座部とを有するとともに、当該座部は、禅箪を収納状態とした際に座面が建物の床面を構成するものであることを要旨とする。
【０００７】
請求項３に記載の禅箪収納構造の発明は、請求項１又は請求項２に記載の発明において、前記禅箪昇降機構は、禅箪が螺着される支持部材と、同支持部材を回転駆動させる駆動手段とを備えるとともに、同駆動手段により該支持部材を回転駆動させ、かつ該支持部材に対して前記禅箪を螺進又は螺退させることによって禅箪を下降又は上昇させるものであることを要旨とする。
【０００８】
請求項４に記載の禅箪収納構造の発明は、請求項１から請求項３のいずれか一項に記載の発明において、前記禅箪は前記座部の端部に取着された禅卓を有するとともに、当該禅卓を座部に対して回動自在に取着したことを要旨とする。
【発明の効果】
【０００９】
本発明によれば、禅箪が設けられたスペースを坐禅修行以外の目的で使用することができる禅箪収納構造を提供することができる。
【発明を実施するための最良の形態】
【００１０】
以下、本発明の禅箪収納構造を寺院の本堂に具体化した実施形態について図面に基づいて説明する。
図２は、坐禅修行を執り行う建物である寺院の本堂の概略を示す平面図である。本堂１０は、敷居、襖等の仕切手段１１により、その内部が複数の座に仕切られている。これら座のうち本堂１０の略中心に配置された座は、法要等といった仏事の際に僧侶が控える大間１２である。この大間１２に対して北方（図２中で上方）に配置された座は、祭壇、仏像等が安置される内陣１３である。大間１２に対して東方及び西方（図２中でそれぞれ右方及び左方）に配置された座は、脇の間である東の間１４及び西の間１５である。また、大間１２、東の間１４及び西の間１５の南方（図２中で下方）に配置された３つの座は露地１６である。これら大間１２、東の間１４、西の間１５及び露地１６の床面は、畳面となっている。そして、この実施形態の禅箪収納構造は前記の各露地１６に設けられており、これら露地１６を利用して坐禅修行が行われるようになっている。
【００１１】
図１（ａ）は禅箪収納構造において禅箪の使用状態を示す斜視図であり、図３は同状態を示す正断面図であり、図５は同状態を示す側断面図である。当該禅箪収納構造は、前記露地１６の床面１７に設けられた開口部２０と、床下に設置された禅箪昇降機構３０と、床上に立設された禅箪４０とを備えている。該開口部２０は禅箪４０と対応する位置で床面１７を構成する畳、床板等を取り除くことによって形成されており、同開口部２０を介して床上の空間と床下の空間とが連通されている。なお、当該開口部２０の周囲に配設された畳２１は一般的なサイズの畳であり、これに合わせるように開口部２０は一般的なサイズの畳とほぼ同じサイズとされている。
【００１２】
前記禅箪昇降機構３０について説明する。前記床下の空間には、一対の基台３３が所定間隔をおいて設置されている。これら基台３３の間には駆動力伝達軸３４が架設されるとともに、同駆動力伝達軸３４にはモータ３５が接続されている。これら基台３３、駆動力伝達軸３４、モータ３５等により、禅箪昇降機構３０の駆動手段が構成されている。各基台３３の上面には支持部材３６がそれぞれ垂設されている。これら支持部材３６は円柱状に形成されており、その表面には雄ねじが螺刻されている。当該支持部材３６は、図示しない基台３３の内部で、その基端部がウォームギア等を介して駆動力伝達軸３４の端部に接続されている。
【００１３】
これら基台３３、駆動力伝達軸３４、モータ３５等の駆動手段と、支持部材３６とによって禅箪昇降機構３０が構成されている。支持部材３６は、モータ３５により駆動力伝達軸３４を回転させると、同駆動力伝達軸３４を介して駆動力が伝達されることに伴い、その軸線を中心に回転駆動されるよう構成されている。また、各支持部材３６は、同じ駆動力伝達軸３４の両端部にそれぞれ接続されており、互いにほぼ同じ回転速度（回転数）で回転駆動されるよう構成されている。なお、前記モータ３５は駆動力伝達軸３４の回転駆動を正転又は逆転させることが可能なものであり、当該支持部材３６は、駆動力伝達軸３４の回転方向に応じて正回転又は逆回転する。加えて、各支持部材３６は、互いに同方向へ回転するよう構成されている。
【００１４】
前記禅箪４０について説明する。当該禅箪４０は、支持基体４１と同支持基体４１によって下方から支持された座部４２とを有している。該支持基体４１は、横長四角筒状に形成され、その内部に設けられたフレーム４３によって補強されている。また、この支持基体４１の内部には、図示しない複数枚の仕切壁が箱状に配設されることにより、収納スペースが設けられている。該座部４２は、座面４２ａ上で坐禅を組むことができるように、一般的なサイズの畳とほぼ同じサイズの畳で形成されている。また、この座部４２は、支持基体４１のフレーム４３に対して回動可能に取着されることにより、支持基体４１の上部開口を閉塞する蓋体としての機能も備えている。そして、当該禅箪４０は、図５に二点鎖線で示したように、蓋体である座部４２を回動させて支持基体４１の上部開口を開放することにより、前記収納スペースに座布団等の日用品を収納可能に構成されている。
【００１５】
前記支持基体４１の底部でフレーム４３には、前記支持部材３６と対応する位置となるように、ガイドフレーム５１が取付けられている。当該ガイドフレーム５１は角材を組み合わせることによって四角枠状に形成され、その上辺部５３で前記フレーム４３に固着されている。また、ガイドフレーム５１の底辺部５２にはその略中心部に雌ねじ孔５４が螺設されており、該雌ねじ孔５４と対応する位置となるように、上辺部５３には挿通孔５４ａが透設されている。このガイドフレーム５１の雌ねじ孔５４に前記支持部材３６の上端部が螺挿されることにより、当該ガイドフレーム５１は支持部材３６の上部に位置決めされた状態で配置されている。従って、禅箪４０は、支持基体４１がガイドフレーム５１を介して支持部材３６に螺合されるとともに、ガイドフレーム５１が支持部材３６上で位置決めされた状態とされている。この状態で禅箪４０は支持部材３６によって床下から支持されており、床上に出現した使用状態とされる。
【００１６】
前記禅箪昇降機構３０を構成する各基台３３の近傍位置にはガイド柱６１がそれぞれ立設されている。これらガイド柱６１は、それぞれ下端で固定されるとともに、前記ガイドフレーム５１に対向する側面にはガイドレール６２が同ガイド柱６１の長手方向へ延びるように突設されている。一方、ガイドフレーム５１において、ガイド柱６１に対向する側面にはガイド爪５５が突設されている。このガイド爪５５は、ガイドレール６２に係合されている。これらガイドフレーム５１、ガイド柱６１等によって禅箪昇降機構３０のガイド手段が構成されている。そして、当該ガイド手段によるガイド爪５５とガイドレール６２との係合関係は、ガイド柱６１に対するガイドフレーム５１の上下方向への移動を許容し、ガイド柱６１に対するガイドフレーム５１の横方向への移動及びガイドフレーム５１の支持部材３６に対する回動を規制している。従って、当該ガイドフレーム５１は支持部材３６の回転駆動時に同支持部材３６に対して下方へ螺進又は上方へ螺退されるようになっている。
【００１７】
図１（ｂ）は禅箪収納構造において禅箪の収納状態を示す斜視図であり、図４は同状態を示す正断面図であり、図６は同状態を示す側断面図である。この状態で、前記ガイドフレーム５１は、支持部材３６に対して下方へ螺進されることにより、支持部材３６の下部に位置決めされた状態で配置されている。禅箪４０は、支持部材３６に対するガイドフレーム５１の移動に伴って床下へと下降しており、その支持基体４１が床下に収納されることによって収納状態とされている。なお、前記収納スペースを形作る仕切壁は、禅箪４０が収納状態で支持部材３６及びガイド柱６１を避けるように配設されており、当該収納状態における仕切壁と支持部材３６及びガイド柱６１との干渉が防止されている。
【００１８】
一方、禅箪４０が収納状態で、座部４２は前記開口部２０を塞ぐ蓋体として機能している。また、座部４２の上面である座面４２ａは、開口部２０の周囲に配設された畳２１の表面と略面一となることにより、これら畳２１の表面とともに床面１７を構成している。この座部４２は、畳製であるとともに周囲に配設された畳２１と同一サイズであるため、床面１７上で座面４２ａと周囲に配設された畳２１の表面とを一瞥で見分けることはほぼ不可能である。さらに、当該座部４２の周面４２ｂは下方へ向かうに従って互いに接近するテーパ状に形成され、これに対応して開口部２０の内周面２０ａは下方へ向かうに従って互いに接近するテーパ状に形成されている。これらテーパ状に形成された座部４２の周面４２ｂ及び開口部２０の内周面２０ａにより、禅箪４０が収納状態で当該禅箪４０の座部４２と開口部２０との間に形成される隙間を埋める隙間埋手段が構成されている。
【００１９】
すなわち、禅箪４０を開口部２０から円滑に出没させるためには、開口部２０のサイズを座部４２のサイズよりも若干大きくする必要がある。このように開口部２０のサイズを座部４２のサイズよりも大きくするに従い、周面４２ｂと内周面２０ａとは接触しにくくなり、座部４２の周囲に隙間が形成されてしまう。このような隙間は、露地１６を和室として使用する際に床面１７上で座面４２ａを目立たせて畳面として違和感を生じさせることにより、美観を損なわせるものとなる。そこで、当該禅箪収納構造は、隙間埋手段として開口部２０の内周面２０ａと禅箪４０の周面４２ｂとをそれぞれテーパ状とし、互いに接触させることにより、座部４２の周囲に隙間が形成されることを防止し、和室としての美観を保つこととしている。
【００２０】
図７（ａ），（ｂ）に示すように、前記座部４２は、その前方端部が支持基体４１の前面４５よりも外方へ大きく突出されている。該座部４２の前方端部において、その下面には取付材８１が取り付けられている。この取付材８１には、回動アーム８２の基端が回動自在に取着されている。そして、この回動アーム８２の先端には禅卓８３が固着されている。当該禅卓８３は、回動アーム８２とともに下方へ回動させることによって折り畳まれ、座部４２の前方端部下面、支持基体４１の前面４５等によって形作られる空間内に収容される。この状態では禅箪４０の下降時における禅卓８３と床面１７との接触が防止されており、禅箪４０は床下へ不具合なく収納される。さらには、禅箪４０の床下への収納時に禅卓８３が床面へ表出されず、露地１６を和室として使用する際の違和感をなくし、美感の保持が図られている。また、当該禅卓８３は、回動アーム８２とともに上方へ回動させることによって引き出される。この状態で、禅卓８３は、その上面が座面４２ａと同じ高さとなるように形成されている。また、回動アーム８２の基端部には図示しないロック機構が設けられており、同ロック機構によって禅卓８３は引き出された状態を保持されるように構成されている。そして、当該禅卓８３には、坐禅修行で禅箪４０を使用する際に経文、粥等が置かれるようになっている。
【００２１】
当該開口部２０の前部において、床面１７の裏面には木材等からなる支持材７１が垂下されるとともに、同支持材７１の内面には支承体７２が取付けらている。この支承体７２は、板材を折り曲げることによって横Ｕ字状に形成されており、その上端部及び下端部にはそれぞれ貫通孔が設けられている。当該支承体７２には支持棒７３が各貫通孔に挿通されて支承されるとともに、当該支持棒７３の下端部には抜止部材７４が、上端部には係止部材７５が外嵌されている。当該支持棒７３の周面上において、前記支承体７２の上面と係止部材７５との間にはコイルスプリング、合成ゴム等の弾性体からなる付勢部材７６が遊嵌されている。この付勢部材７６は支持棒７３を支承体７２に対して上方へ移動させるように付勢するとともに、抜止部材７４は付勢部材７６によって付勢された支持棒７３が支承体７２から抜け出さないように支持棒７３の移動を規制している。そして、支持棒７３の上端には長板状の間詰板７７が固着されている。
【００２２】
上記の支持材７１、支承体７２、支持棒７３、付勢部材７６、間詰板７７等によって間詰手段が構成されている。当該禅箪収納構造においては、禅卓８３を設けたことにより、禅箪４０の使用状態で、禅箪４０の前面４５と前記開口部２０の内周面２０ａとの間には大きな間隙２２が形成されている。この間隙２２を塞ぐため、支持材７１、支承体７２、支持棒７３、付勢部材７６、間詰板７７等によって構成された間詰手段が設けられている。すなわち、図６に示すように、禅箪４０が床下に沈下した状態で、支持棒７３は、禅箪４０の座部４２によって間詰板７７を介して下方へ押圧されており、この状態では付勢部材７６による付勢力に抗して下方へ移動している。そして、禅箪４０を床上に出現させると、付勢部材７６によって付勢された支持棒７３が上方へ移動し、これに伴って間詰板７７が上方へ移動して前記間隙２２を塞ぐよう構成されている。
【００２３】
次に、前記禅箪収納構造の作用について以下に記載する。
さて、当該禅箪収納構造において禅箪４０は、本堂１０で坐禅修行を行う際に使用される。すなわち、本堂１０の各露地１６は、通常は和室、通路等として使用されており、その床面１７は平坦な畳面とされている。そして、坐禅修行を行う際には仕切手段１１によって各露地１６と大間１２、東の間１４及び西の間１５とを仕切り、各露地１６の床面上に禅箪４０を出現させる。
【００２４】
すなわち、本堂１０が和室として使用されているとき、図６に示したように当該禅箪４０は床下へ収納された状態となっており、床面１７の開口部２０は畳で形成された座部４２によって塞がれている。この状態で図示しない制御板により当該禅箪４０を出現させるよう操作を行うと、同制御板からの命令によりモータ３５が作動し、支持部材３６が軸線を中心に回転される。一方、同支持部材３６上に螺着されたガイドフレーム５１は、前記ガイド手段によって支持部材３６に対する回動を規制され、上下方向への移動を許容されている。従って、同ガイドフレーム５１は、支持部材３６とともに回転することはなく、同支持部材３６に対して螺退されながら上方へ移動する。そして、ガイドフレーム５１の支持部材３６に対する移動に伴い、図５に示したように、禅箪４０は上昇して開口部２０から床面１７上に出現する。
【００２５】
前記制御板は、複数の禅箪４０において、それぞれを支持する支持部材３６の回転数、回転時間等を各禅箪４０毎に調節する。すなわち、制御板による調節によって支持部材３６に対してガイドフレーム５１が螺退する長さは、各禅箪４０毎に決められている。そして、この長さが決められた値に達したとき、支持部材３６の回転が停止され、同支持部材３６の上部でガイドフレーム５１が位置決めされることにより、禅箪４０の出現作業が完了する。
【００２６】
坐禅修行が終了した後は、元の和室とするために露地１６の床下に禅箪４０を収納する。この場合、制御板により操作を行うと、同制御板からの命令によりモータ３５が作動し、支持部材３６が前記出現時と逆方向へ回転される。すると、前記ガイドフレーム５１は、支持部材３６に対して螺進されながら下方へ移動する。このガイドフレーム５１の移動に伴って禅箪４０は下降し、図６に示したように開口部２０から床下へ収納される。そして、座部４２が開口部２０を塞ぎ、床面１７が平坦な畳面となった状態で支持部材３６の回転が停止され、同支持部材３６の下部でガイドフレーム５１が位置決めされることにより、禅箪４０の収納作業が完了する。
【００２７】
前記の実施形態によって発揮される効果について、以下に記載する。
・  当該禅箪収納構造は、本堂１０の各露地１６において、禅箪４０を設ける位置に応じて床面１７に設けられた開口部２０と、床下に設置された禅箪昇降機構３０とを有している。この禅箪昇降機構３０は、開口部２０を介して床上と床下の間で禅箪４０を昇降自在とするものである。従って、坐禅修行時には禅箪４０を床上へ上昇させて使用状態とし、坐禅修行時以外では禅箪４０を床下へ下降させて収納状態とすることが可能であり、この収納状態では床面が平坦な露地１６のスペースを坐禅修行以外の様々な目的で使用することができる。
【００２８】
・  また、禅箪４０は、禅箪昇降機構３０に取着された支持基体４１と、当該支持基体４１によって下方から支持された座部４２とを有している。この座部４２は、床面１７を構成する畳２１と同様の畳製のものである。従って、禅箪４０が没入した状態で座部４２の座面４２ａは、畳２１の表面とともに床面１７を平坦な畳面として構成し、同座面４２ａと畳２１の表面とを一瞥で見分けることは困難となっている。このため、和室としての使用時に違和感が生ずることを抑制し、その美観を保つことが可能である。
【００２９】
・  また、当該禅箪収納構造は、隙間埋手段として開口部２０の内周面２０ａと禅箪４０の周面４２ｂとをそれぞれテーパ状に形成することとしている。このため、禅箪４０が没入した状態で開口部２０の内周面２０ａに禅箪４０の周面４２ｂを接触させることができ、座部４２の周囲に隙間が形成されることを防止することができる。従って、座面４２ａと畳２１の表面との識別が極めて困難なものとなり、和室としての使用時に違和感がなく、その美観を保つことが可能である。
【００３０】
・  また、禅箪昇降機構３０は、前記禅箪４０を床下から支持する支持部材３６と、当該支持部材３６に接続されて同支持部材３６を回転駆動させる基台３３、駆動力伝達軸３４、モータ３５等の駆動手段とを備えている。そして、前記禅箪４０は、支持部材３６に対して螺合されており、同支持部材３６に対する螺退又は螺進によって昇降するように構成されている。従って、簡易な構成としながら、支持部材３６による禅箪４０の支持及び昇降を確実なものとすることができる。
【００３１】
・  また、当該禅箪収納構造において、禅箪４０は支持部材３６に対してガイドフレーム５１を介して螺着されている。このガイドフレーム５１は、ガイド爪５５、ガイドレール６２等のガイド手段により、支持部材３６に対して上下方向への移動を許容され、回動を規制されている。従って、支持部材３６の回転に連動したガイドフレーム５１の回転を防止し、支持部材３６に対してガイドフレーム５１を確実に螺退又は螺進させることができるとともに、その螺退又は螺進方向を上下方向とすることができる。
【００３２】
・  また、当該禅箪４０は、禅卓８３を回動自在に取り付けることによって折り畳み可能としている。従って、禅卓８３が設けられている分だけ必要以上に開口部２０を拡げずとも、禅箪４０を床下へ没入させることができる。特に、禅箪４０を床下へ没入させた状態における床面への禅卓８３の表出を防止することができ、和室としての使用時に違和感がなく、その美観を保つことが可能である。
【００３３】
・  また、前記禅卓８３を設けたことにより、禅箪４０の出現時に禅箪４０の前面４５と前記開口部２０の内周面２０ａとの間には大きな間隙２２が形成されてしまう。そして、当該禅箪収納構造は、同間隙２２を塞ぐために当該間詰手段が設けられている。従って、禅箪４０の出現時における間隙２２による美観の低下、間隙２２に足をとられる等の不具合を解消することができる。
【００３４】
・  また、この実施形態においては、前述のように禅箪４０の床下への没入時に床面１７を平坦な畳面とすることにより、和室としての美観を保つことも目的としている。すなわち、この実施形態では隙間埋手段を設け、禅箪４０が没入した状態で開口部２０の内周面２０ａに禅箪４０の周面４２ｂを接触させている。この場合、禅箪４０を出没させる際に開口部２０の内周面２０ａと禅箪４０の周面４２ｂとの間には摺動抵抗が生じる。ここで、支持部材３６をエアーシリンダ、油圧シリンダ等の伸縮可能な部材によって構成した場合、当該部材は座部４２が開口部２０に引っ掛かった状態で伸縮する等して誤差を生じやすく、座部４２を床面１７から若干浮いた状態としてしまうおそれがある。加えて、当該禅箪４０に複数人が腰掛ける場合、各人が腰掛けたり、移動したり等する度に禅箪４０全体が浮き沈みして参列者に不快感を与えるおそれもある。これに対し、当該実施形態のように支持部材３６を螺合材とした場合には同支持部材３６自体が伸縮するものではないため、前記伸縮可能な部材に比べて誤差が小さく、また座部４２を開口部２０から押し出す、あるいは開口部２０内に引き込む力が強い。従って、禅箪４０を支持部材３６に対して螺合関係で取着することにより、禅箪４０の昇降時における誤差を小さくし、座部４２が床面１７から浮く等の不具合の発生を抑制することができるとともに、着座時における不快感を解消することができる。
【００３５】
・  また、当該禅箪４０は、内部に収納スペースを有していることから、スペースの有効活用を図ることが可能である。
なお、本実施形態は、次のように変更して具体化することも可能である。
【００３６】
・  当該禅箪収納構造は、寺院の本堂１０のみに具体化することに限らず、例えば禅堂等に具体化してもよい。また、本堂１０の露地１６のみに具体化することに限らず、東の間１４、西の間１５等に具体化してもよい。
【００３７】
・  前記禅箪４０は、坐禅修行に使用することに限らず、例えば法要等の仏事で参列者用の座席として使用してもよい。
・  前記禅箪昇降機構３０は、実施形態で示した支持部材３６に対する禅箪４０等の螺進又は螺退によるものに限らず、エアーシリンダ、油圧シリンダ等の伸縮可能な部材、あるいは油圧モータ等を用い、禅箪４０等の下降又は上昇によるものとしてもよい。
【００３８】
・  前記禅箪４０の支持基体４１において、収納スペースを省略してもよい。また、この場合には座部４２を支持基体４１のフレーム４３に固着し、回動不能としてもよい。
・  禅箪４０等の座部４２で開口部２０を閉塞することに限らず、例えば開口部２０の周縁部に同開口部２０を開閉するための蓋材を取付けてもよい。そして、禅箪４０の使用時には同禅箪４０により蓋材を押し上げて開口部２０を開放し、禅箪４０の収納時には手作業等で開口部２０を閉塞するよう構成してもよい。
【００３９】
・  前記間詰手段を間詰板７７のみで構成し、禅箪４０等を出現させた後、手作業で間隙２２に間詰板７７を嵌め込む等してもよい。あるいは、間詰手段を省略して禅箪収納構造を構成してもよい。
【００４０】
・  例えば、ガイドフレーム５１を省略し、支持基体４１を補強するフレーム４３に雌ねじ孔を螺設する等して禅箪４０等を支持部材３６に螺着してもよい。
さらに、前記実施形態より把握できる技術的思想について以下に記載する。
【００４１】
・  前記禅箪を使用状態とした際に当該禅箪と前記開口部との間に形成される隙間を埋める間詰手段を備えることを特徴とする請求項１から請求項４のいずれか一項に記載の禅箪収納構造。
【００４２】
・  前記禅箪昇降機構は、前記禅箪の昇降方向を案内するガイド手段を備えていることを特徴とする請求項１から請求項４のいずれか一項に記載の禅箪収納構造。
・  前記座部は、その周面が床面へ向かうに従って互いに接近するテーパ状に形成されたものであり、この座部の周面に対応するように前記開口部は、その内周面が床面へ向かうに従って互いに離間するテーパ状に形成されたものであることを特徴とする請求項２から請求項４のいずれか一項に記載の禅箪収納構造。
【図面の簡単な説明】
【００４３】
【図１】（ａ）は禅箪の使用状態を示す斜視図、（ｂ）は禅箪の収納状態を示す斜視図。
【図２】寺院の本堂の概略を示す平面図。
【図３】禅箪の使用状態を示す正断面図。
【図４】禅箪の収納状態を示す正断面図。
【図５】禅箪の使用状態を示す側断面図。
【図６】禅箪の収納状態を示す側断面図。
【図７】（ａ）は禅箪の禅卓を折り畳んだ状態を示す側断面図、（ｂ）は禅箪の禅卓を引き出した状態を示す側断面図。
【符号の説明】
【００４４】
１０…建物である本堂、１６…坐禅修行が執り行われる露地、１７…床面、２０…開口部、３０…禅箪昇降機構、３６…支持部材、４０…禅箪、４１…支持基体、４２…座部、４２ａ…座面、８３…禅卓。
【図１】
2005113589.tif 000003
【図２】
2005113589.tif 000004
【図３】
2005113589.tif 000005
【図４】
2005113589.tif 000006
【図５】
2005113589.tif 000007
【図６】
2005113589.tif 000008
【図７】
2005113589.tif 000009